(57)【特許請求の範囲】
【請求項１】
モニターに撮像した画像の一部を拡大して再生する拡大再生モードを有する電子スチルカメラにおいて、
拡大再生モードを設定するための第１の操作部材と、
前記第１の操作部材の操作に応じて前記モニターに拡大再生された画像の拡大領域を切り換えるための第２の操作部材と、
再生画像を切り換えるための第３の操作部材とを備え、
前記第３の操作部材は、前記第１の操作部材の操作に応じて前記画像が拡大再生された状態において操作されると、現在拡大再生されている前記画像の前の画像または次の画像に再生画像を切り換えることを特徴とする電子スチルカメラ。
【請求項２】
請求項１に記載の電子スチルカメラにおいて、
前記第１の操作部材の操作回数に応じて画像の拡大倍率を変更することを特徴とする電子スチルカメラ。
【発明の詳細な説明】
【０００１】
【発明の属する技術分野】
本発明は電子スチルカメラに関し、特に、拡大再生モードにおける操作性を改善したものである。
【０００２】
【従来の技術とその問題点】
撮像した画像のピント状態を確認するために、液晶モニターに画像の一部を拡大して表示するようにした電子スチルカメラが知られている。
【０００３】
図１１は従来の電子スチルカメラの背面図である。
従来の電子スチルカメラは、撮像した画像を表示するための液晶モニター５１と、メニュー画面を表示するためのメニュー画面ボタン５２と、メニュー画面でカーソルを移動して拡大再生モードを選択するためのズームダウン（Ｗ）ボタン５３およびズームアップ（Ｔ）ボタン５４と、拡大再生画面からメニュー画面に戻るための”戻る”ボタン５５とを備えている。なお、ズームボタン５３，５４はズームレンズの変倍操作をするための操作部材であるが、メニュー画面でのカーソル移動用と原画像の拡大領域切り換え用とに兼用されている。
【０００４】
ある画像を再生中にその画像の拡大画像を表示するには、まず▲１▼メニュー画面ボタン５２を操作してモニター５１に再生メニュー画面を表示する。再生メニュー画面には、サムネイル、記録画像削除、スライドショー、拡大再生などの再生メニューが表示される。次に、▲２▼ズームボタン５３，５４を操作して”拡大再生”メニューを選択し、拡大再生モードに入る。これにより、原画像の一部が拡大され、原画像のピント状態を確認することができる。拡大再生モードにおいて、▲３▼ズームボタン５３，５４を操作すると、原画像の拡大領域を切り換えることができる。拡大再生中に、次画像または前画像に切り替えるには、▲４▼戻るボタン５５を操作してモニター５１に再生メニュー画面を表示し、次に▲５▼メニュー画面ボタン５２を操作してメニュー画面モードを抜けた後、▲６▼ズームボタン５３，５４を操作して次画像または前画像に切り換える。
【０００５】
図１２は、上述した従来の電子スチルカメラの再生動作における状態遷移図である。
画像再生モードにおいて、メニュー画面ボタン５２で再生メニューを表示してズームボタン５３，５４により拡大再生モードを選択すると「拡大再生モード」に移り、画像を拡大再生する。「拡大再生モード」においてズームボタン５３，５４を操作すると「領域切換モード」に移り、原画像の拡大領域を指定領域に切り換えて「拡大再生モード」に戻り、指定領域の画像を拡大再生する。一方、「拡大再生モード」において、戻るボタン５５を操作して再生メニュー画面に戻り、メニュー画面ボタン５２を操作してメニュー画面を抜けた後、ズームボタン５３，５４を操作すると「画像切換モード」に移る。「画像切換モード」で次画像または前画像に切り換えて再び「再生モード」へ戻り、次画像または前画像の原画像を再生する。
【０００６】
このように、従来の電子スチルカメラでは、ズームボタン５３，５４を、拡大領域の切り換え用と再生画像の切り換え用とに兼用しているため、拡大再生モードから再生画像を切り換える操作が煩雑になり、拡大再生中に再生画像を切り換えるためにはいったんメニュー画面に戻り、メニュー画面モードを抜けてから画像を切り換えなければならない。
【０００７】
本発明の目的は、拡大再生モードからの画像切り換え操作を簡便にすることにある。
【０００８】
【課題を解決するための手段】
一実施の形態の外形を示す図１および図２と、一実施の形態の再生動作における状態遷移を示す図１０とに対応づけて本発明を説明すると、
（１）  請求項１の発明は、モニターに撮像した画像の一部を拡大して再生する拡大再生モードを有する電子スチルカメラに適用される。
そして、拡大再生モードを設定するための第１の操作部材（拡大再生ボタン５）と、第１の操作部材（拡大再生ボタン５）の操作に応じてモニターに拡大再生された画像の拡大領域を切り換えるための第２の操作部材（コマンドダイアル１３）と、再生画像を切り換えるための第３の操作部材（ズームボタン３，４）とを備え、第３の操作部材（ズームボタン３，４）は、第１の操作部材（拡大再生ボタン５）の操作に応じて前記画像が拡大再生された状態において操作されると、現在拡大再生されている前記画像の前の画像または次の画像に再生画像を切り換える。
（２）  請求項２の電子スチルカメラは、第１の操作部材（拡大再生ボタン５）の操作回数に応じて画像の拡大倍率を変更するようにしたものである。
【０００９】
上述した課題を解決するための手段の項では、説明を分かりやすくするために一実施の形態の図を用いたが、これにより本発明が一実施の形態に限定されるものではない。
【００１０】
【発明の実施の形態】
図１、図２は一実施の形態の電子スチルカメラの斜視図であり、図１は背面図、図２は撮影状態の正面図である。
一実施の形態の電子スチルカメラ１はカメラ本体１ａとレンズ部１ｂとに分割されており、図２に示すようにカメラ本体１ａに対してレンズ部１ｂがおよそ９０度回転可能に連結されている。撮影時は、図２に示すようにレンズ部１ｂを９０度回転させた状態で撮影を行う。
【００１１】
図１において、カメラ１の背面にはモニター２、ズームダウン（Ｗ）ボタン３（カーソル移動▽ボタン兼用）、ズームアップ（Ｔ）ボタン４（カーソル移動△ボタン兼用）、拡大再生ボタン５、メニュー画面ボタン６などが設けられる。モニター２は撮影した画像を表示する液晶表示器である。ズームダウン（Ｗ）ボタン３は後述するズームレンズをワイド側に変倍させる操作部材であり、ズームアップ（Ｔ）ボタン４はズームレンズをテレ側に変倍させる操作部材である。拡大再生ボタン５は撮像した画像を拡大再生する操作部材である。また、メニュー画面ボタン６はモニター２にメニュー画面を表示させる操作部材であり、撮影モード設定時には露出補正、測光方式、連写などの撮影メニューが表示され、再生モード設定時にはサムネイル、記録画像削除、スライドショーなどの再生メニューが表示される。これらのメニュー画面からズームボタン３，４を操作してカーソルを移動し、いずれかのメニューを選択することができる。
【００１２】
また、カメラ本体１の上面にはＬＣＤ７、レリーズボタン８、セレクトレバー９などが設けられる。ＬＣＤ７は連写モード、画質モード、バッテリー残量、撮影枚数などの撮影に必要な情報を表示する表示パネルである。セレクトレバー９は撮影モードと再生モードとを切り換える操作部材であり、OFF位置から”撮影”位置に設定すると、カメラ１に電源が投入されて撮影モードの動作が開始され、OFF位置から”再生”位置に設定すると、カメラ１に電源が投入されて再生モードの動作が開始される。
【００１３】
さらに、レンズ部１ｂの上面にはズームレンズ１０、ストロボ発光窓１１、ファインダー窓１２などが設けられる。この実施の形態ではズームレンズ付きの電子スチルカメラを例に上げて説明するが、もちろん本発明は単焦点レンズ付き電子スチルカメラにも適用することができる。
【００１４】
図２において、カメラ本体１ａの正面にはコマンドダイアル１３が設けられる。コマンドダイアル１３は露出値、撮影枚数、カレンダー時計などの設定や、拡大再生モードでの原画像の拡大領域の切り換えを行う操作部材である。
【００１５】
図３は一実施の形態の構成を示す図である。なお、図１および図２に示す機器と同様な機器に対しては同一の符号を付して説明を省略する。
ＣＣＤ２１は撮影光学系（ズームレンズ）１０により結像された被写体像を撮影する撮像素子であり、被写体像の明るさに応じたアナログ信号を画素ごとに出力する。入力回路２２は、ＣＣＤ２１からのアナログ画像信号に対して利得調整などの処理を行った後、Ａ／Ｄ変換してホワイトバランス調整、輪郭補償、ガンマ補正などの画像処理を行い、原画像データとして出力する。圧縮／伸長回路２３は、原画像データをＪＰＥＧなどの所定の圧縮率で圧縮するとともに、圧縮画像データをもとの原画像データに伸長する。
【００１６】
バッファーメモリ２４は撮影後の原画像データおよび圧縮後の圧縮画像データを一時的に記憶するメモリであり、ＳＲＡＭ、ＶＲＡＭ、ＳＤＲＡＭなどを用いることができる。メモリカード２５は取り外し可能な記録媒体であり、フラッシュメモリなどを用いることができる。
【００１７】
モニター７は、撮影モード設定時には、ＣＣＤ１により撮影した原画像データからモニタ画像生成回路２６により表示用画像データを生成して表示するとともに、再生モード設定時には、メモリカード２５から読み出した圧縮画像データを圧縮／伸長回路２３により伸長し、モニタ画像生成回路２６により表示用画像データを生成して表示する。
【００１８】
コントローラー２７はマイクロコンピューターとその周辺部品から構成され、電子スチルカメラ１の各種演算とシーケンス制御を実行する。コントローラー２７には、上述した入力回路２２、圧縮／伸長回路２３、バッファーメモリ２４、メモリカード２５、ＬＣＤ７、モニター画像生成回路２６の他に、電源スイッチ９ａ、撮影モードスイッチ９ｂ、再生モードスイッチ９ｃ、レリーズスイッチ８ａ、拡大再生スイッチ５ａ、メニュー画面スイッチ６ａ、ズームダウンスイッチ３ａ、ズームアップスイッチ４ａ、コマンドダイアルスイッチ１３ａ，１３ｂなどが接続される。
【００１９】
電源スイッチ９ａ、撮影モードスイッチ９ｂ、再生モードスイッチ９ｃはセレクトレバー９に連動してオン（閉）、オフ（開）するスイッチであり、セレクトレバー９を”撮影”位置に設定すると電源スイッチ９ａと撮影モードスイッチ９ｂがオンし、”再生”位置に設定すると電源スイッチ９ａと再生モードスイッチ９ｃがオンする。レリーズスイッチ８ａはレリーズボタン８を操作した時にオンし、拡大再生スイッチ５ａは拡大再生ボタン５を操作した時にオンする。また、メニュー画面スイッチ６ａはメニュー画面ボタン６を操作した時にオンする。さらに、ズームダウンスイッチ３ａはズームダウンボタン３を操作した時にオンし、ズームアップスイッチ４ａはズームアップボタン４を操作した時にオンする。コマンドダイアルスイッチ１３ａ，１３ｂはコマンドダイアル１３に連動してオン、オフするスイッチであり、コマンドダイアル１３を時計回転方向に回転するとスイッチ１３ａが１クリック回転角ごとにオン、オフし、反時計回転方向に回転するとスイッチ１３ｂが１クリック回転角ごとにオン、オフする。
【００２０】
図４は一実施の形態の再生動作を示すフローチャートである。このフローチャートにより、一実施の形態の動作を説明する。
コントローラー２７は、セレクトレバー９が”再生”位置に設定されるとこの再生動作を実行する。ステップ１において、メモリカード２５に記録されている圧縮画像データをバッファーメモリ２４へ読み出す。この時、最後に撮像された最新の画像を読み出す。なお、バッファーメモリ２４の記録容量を大きくして複数枚の画像を同時に読み出すようにしてもよい。それにより、後述する次画像または前画像への画像切り換えに際して、メモリカード２５からバッファーメモリ２４へ画像データを読み出す時間が短縮され、画像切り換え時の応答性を向上させることができる。
【００２１】
次に、ステップ２でバッファーメモリ２４に読み出した圧縮画像データを圧縮／伸長回路２３により原画像データに伸長し、その原画像データをふたたびバッファーメモリ２４に展開する。そして、ステップ３でバッファーメモリ２４に展開した原画像データをモニター画像生成回路２６により表示画像に変換し、モニター２に表示する。これにより、モニター２には最後に撮像した被写体像の全範囲（原画像）が表示される。
【００２２】
ステップ４において、拡大再生ボタン５が操作されたか否かを確認し、拡大再生操作がなされたらステップ５へ進み、操作されていなければステップ８へ進む。
【００２３】
ここで、この実施の形態の画像の拡大再生について説明する。
拡大再生ボタン５を押すとモニター２に表示されている画像が拡大されるが、拡大再生ボタン５を押すごとに拡大倍率が変化する。原画像が表示されている時に拡大再生ボタン５を１回操作すると、倍率２の拡大画像に切り替わり、次にもう１回操作すると倍率３の拡大画像に切り替わり、さらにもう１回操作すると倍率１の原画像に戻る。つまり、拡大再生ボタン５を操作するごとに、画像の倍率が１倍→２倍→３倍→１倍の順に切り替わる。
【００２４】
図５は、倍率３の拡大再生モードにおける原画像の拡大領域の分割例を示す。説明を分かりやすくするために、最初に倍率３の拡大再生モードについて説明する。倍率３の拡大再生時には、モニター画面２ａに表示されている原画像を、図５に示すようにＰ１〜Ｐ９の合計９領域に分割し、各領域の画像を３倍に拡大してモニター画面２ａいっぱいに表示する。拡大再生モードに入った直後には、画面中央のＰ５領域の画像を、図６に示すようにモニター画面２ａいっぱいに拡大して表示する。画像の拡大は、バッファーメモリ２４上に展開された原画像データの中から指定領域の画像データを切り出し、モニター画像生成回路２６によりモニター画面２ａのサイズの画像データに変換して表示する。
【００２５】
図７および図８は、倍率２の拡大再生モードにおける原画像の拡大領域の分割例を示す。なお、倍率２の場合の分割領域は互いにオーバーラップしているので、説明を解りやすくするために拡大領域を図７（ａ）〜（ｃ）および図８に分けて示す。
倍率２の拡大再生時も、モニター画面２ａに表示されている原画像を９領域に分割し、各領域の画像を２倍に拡大してモニター画面２ａいっぱいに表示する。倍率２の拡大再生時の領域は倍率３の場合の領域よりも大きく、互いにオーバーラップしている。図７（ａ）〜（ｃ）および図８に示すように、モニター画面の上段左領域Ｐ１’、上段中央領域Ｐ２’、上段右領域Ｐ３’、中段左領域Ｐ４’、中段中央領域Ｐ５’（図８参照）、中段右領域Ｐ６’、下段左領域Ｐ７’、下段中央領域Ｐ８’、下段右領域Ｐ９’とする。倍率３の拡大再生時と同様に、最初に画面中央のＰ５’領域の画像を２倍に拡大して表示する。
【００２６】
モニター画面２ａに原画像が表示されている時に、拡大再生ボタン５を操作すると中央領域Ｐ５’（図８参照）の画像を２倍に拡大して表示し、次にもう１回拡大再生ボタン５を操作すると中央領域Ｐ５（図５参照）の画像を３倍に拡大して表示する。さらにもう１回拡大再生ボタン５を操作すると拡大再生を終了し、原画像を表示する。
【００２７】
ふたたび図４のフローチャートに戻って説明を続ける。
拡大再生操作がなされると、ステップ５で、拡大操作ボタン５の操作回数に応じた倍率の中央領域Ｐ５’（２倍時）またはＰ５（３倍時）の画像をモニター画面２ａいっぱいに表示する。また、モニター画面２ａの左上に、拡大画像に重畳して図９に示す拡大画像情報を表示する。
【００２８】
図９は、モニター画面２ａの左上部に表示する拡大画像情報を示す。
３１は拡大画像であることを表す”虫メガネ”マークであり、２倍または３倍の拡大再生モードが設定されるとこのマーク３１を表示する。また、３２はコマンドダイアル１３の操作で拡大領域を切り換え可能であることを表すマークである。拡大領域の切り換えについては後述する。３３は現在の拡大領域マークであり、原画像の中の現在拡大して表示されている領域を黒色で表示する。この例では中央領域Ｐ５’（２倍時）またはＰ５（３倍時）の拡大画像であることを表す。
【００２９】
指定倍率の中央領域の拡大画像を表示した後のステップ６において、コマンドダイアル１３により拡大領域の切り換え操作がなされたか否かを確認する。拡大領域の切り換え操作がなされたらステップ７へ進み、切り換え操作がなされなければステップ８へ進む。
【００３０】
ここで、原画像の拡大領域の切り換えについて説明する。
拡大領域はコマンドダイアル１３により切り換えることができる。倍率３の拡大再生モードでは、コマンドダイアル１３の時計回転方向への１クリック回転ごとに、拡大領域がＰ５→Ｐ６→Ｐ７→Ｐ８→Ｐ９→Ｐ１→Ｐ２→Ｐ３→Ｐ４→Ｐ５→Ｐ６・・の順に切り替わる。また、コマンドダイアル１３の反時計回転方向への１クリック回転ごとに、拡大領域がＰ５→Ｐ４→Ｐ３→Ｐ２→Ｐ１→Ｐ９→Ｐ８→Ｐ７→Ｐ６→Ｐ５・・の順に切り替わる。なお、倍率２の拡大再生モードにおいても同様な順序で拡大領域が切り替わる。また、コマンドダイアル１３による拡大領域の切り換え操作に連動して、モニター画面２ａの拡大領域マーク３３の黒色部、すなわち現在の拡大領域が切り替わる。
【００３１】
コマンドダイアル１３による拡大領域の切り換え操作が行われた時には、ステップ７で、指定された拡大領域の画像を設定倍率に拡大してモニター２に表示するとともに、指定拡大画像に重畳して図９に示す拡大画像情報を表示する。
【００３２】
指定領域の拡大画像を表示した後のステップ８で、ズームダウンボタン３またはズームアップボタン４により画像の切り換え操作が行われたか否かを確認する。画像の切り換え操作が行われたらステップ９へ進み、切り換え操作がなされなければステップ１０へ進む。
【００３３】
ステップ９において、ズームダウンボタン３が操作されたら次画像へ切り換え、ズームアップボタン４が操作されたら前画像へ切り換える。上述したように、バッファーメモリ２４に予め複数枚の原画像データが展開されている場合には、次画像または前画像の原画像データを読み出し、モニタ画像生成回路２６を介してモニター２に次画像または前画像の原画像を表示する。バッファーメモリ２４に次画像データまたは前画像データが展開されていない場合は、上述したようにメモリカード２５から次画像または前画像の圧縮画像データを読み出し、圧縮／伸長回路２３により原画像データに伸長してバッファーメモリ２４に展開した後、モニター画像生成回路２６を介してモニター２に表示する。なお、拡大再生中に画像切り換え操作が行われても、画像切り換え後は拡大画像を表示せず、次画像または前画像の原画像を表示する。
【００３４】
画像切り換えを終了したらステップ４へ戻り、上述したように次画像または前画像の拡大再生動作を実行する。一方、ステップ８で画像切り換え操作がなされなかった場合はステップ１０へ進み、セレクトレバー９がOFFまたは撮影位置に設定され、画像再生を終了したか否かを確認し、再生終了の場合はこの動作を終了し、そうでなければステップ６へ戻って上述したように拡大領域の切り換え動作を実行する。
【００３５】
ステップ４で拡大再生操作が行われなかった場合、あるいはステップ６で拡大領域の切り換え操作が行われなかった場合はステップ８へ進み、上述したように画像の切り換え動作を実行する。
【００３６】
図１０は一実施の形態の再生動作における状態遷移図である。
セレクトレバー９を”再生”に設定すると「再生モード」に入り、記録画像の再生動作を開始する。「再生モード」において拡大再生ボタン５を操作すると「拡大再生モード」に移り、拡大再生ボタン５の操作回数に応じた設定倍率で画像を拡大再生する。「拡大再生モード」においてコマンドダイアル１３を操作すると「領域切換モード」に移り、拡大領域を指定領域に切り換えて「拡大再生モード」に戻り、指定領域の画像を設定倍率で拡大再生する。一方、「拡大再生モード」においてズームボタン３，４を操作すると「画像切換モード」に移り、次画像または前画像に切り換えて再び「再生モード」へ戻り、次画像または前画像の原画像を再生する。
【００３７】
このように、この実施の形態では拡大再生モードにおいて、コマンドダイアル１３で拡大領域の切り換え操作を行うとともに、ズームボタン３，４で画像の切り換え操作を行う、つまり、拡大領域の切り換え操作と画像の切り換え操作とをそれぞれ別個の操作部材で行うようにしたので、拡大再生中に現在の画像から次画像または前画像へ切り換える場合に、図１２に示す従来の電子スチルカメラのように、拡大再生モードからいったん再生メニュー画面に戻り、再生メニュー画面を抜けてから画像を切り換える煩雑な操作をしなくてもよくなり、簡便な操作で拡大再生モードからの画像の切り換えと、拡大再生モードにおける拡大領域の切り換えとを行うことができ、拡大再生モードにおける操作性を向上させることができる。
【００３８】
また、拡大再生ボタン５の操作回数に応じて拡大倍率を変更可能にしたので、必要に応じて所望の倍率に拡大して画像のチェックを行うことができる。
【００３９】
【発明の効果】
（１）  以上説明したように請求項１の発明によれば、拡大再生モードを設定するための第１の操作部材と、第１の操作部材の操作に応じてモニターに拡大再生された画像の拡大領域を切り換えるための第２の操作部材と、再生画像を切り換えるための第３の操作部材とを備え、第３の操作部材は、第１の操作部材の操作に応じて前記画像が拡大再生された状態において操作されると、現在拡大再生されている前記画像の前の画像または次の画像に再生画像を切り換えるようにしたので、拡大再生中に現在の画像から次画像または前画像へ切り換える場合に、従来の電子スチルカメラのように、拡大再生モードからいったん再生メニュー画面に戻り、再生メニュー画面を抜けてから画像を切り換える煩雑な操作をしなくてもよくなり、簡便な操作で拡大再生モードからの画像の切り換えと、拡大再生モードにおける拡大領域の切り換えとを行うことができ、拡大再生モードにおける操作性を向上させることができる。
（２）  請求項２の電子スチルカメラは、第１の操作部材の操作回数に応じて画像の拡大倍率を変更するようにしたので、必要に応じて所望の倍率に拡大して画像のチェックを行うことができる。
【図面の簡単な説明】
【図１】  一実施の形態のカメラの背面図である。
【図２】  一実施の形態のカメラの正面図である。
【図３】  一実施の形態の構成を示す図である。
【図４】  一実施の形態の再生動作を示すフローチャートである。
【図５】  倍率３の拡大再生モードにおける原画像の拡大領域の分割例を示す図である。
【図６】  倍率３の拡大再生モードにおける中央領域Ｐ５の拡大例を示す図である。
【図７】  倍率２の拡大再生モードにおける原画像の拡大領域の分割例を示す図である。
【図８】  倍率２の拡大再生モードにおける原画像の拡大領域の分割例を示す図である。
【図９】  モニター画面の左上部に表示する拡大画像情報を示す図である。
【図１０】  一実施の形態の再生動作における状態遷移図である。
【図１１】  従来の電子スチルカメラの背面図である。
【図１２】  従来の電子スチルカメラの再生動作における状態遷移図である。
【符号の説明】
１  電子スチルカメラ
１ａ  カメラ本体
１ｂ  レンズ部
２  モニター
２ａ  モニター画面
３  ズームダウンボタン
３ａ  ズームダウンスイッチ
４  ズームアップボタン
４ａ  ズームアップスイッチ
５  拡大再生ボタン
５ａ  拡大再生スイッチ
６  メニュー画面ボタン
６ａ  メニュー画面スイッチ
７  ＬＣＤ
８  レリーズボタン
８ａ  レリーズスイッチ
９  セレクトレバー
９ａ  電源スイッチ
９ｂ  撮影モードスイッチ
９ｃ  再生モードスイッチ
１０  ズームレンズ
１１  ストロボ発光窓
１２  ファインダー窓
１３  コマンドダイアル
１３ａ，１３ｂ  コマンドダイアルスイッチ
２１  ＣＣＤ
２２  入力回路
２３  圧縮／伸長回路
２４  バッファーメモリ
２５  メモリカード
２６  モニター画像生成回路
２７  コントローラー
３１  虫メガネマーク
３２  拡大領域切換マーク
３３  拡大領域表示マーク
Ｐ１〜Ｐ９，Ｐ１’〜Ｐ９’  拡大領域
【図１】
0004239271.tif 000002
【図２】
0004239271.tif 000003
【図３】
0004239271.tif 000004
【図４】
0004239271.tif 000005
【図５】
0004239271.tif 000006
【図６】
0004239271.tif 000007
【図７】
0004239271.tif 000008
【図８】
0004239271.tif 000009
【図９】
0004239271.tif 000010
【図１０】
0004239271.tif 000011
【図１１】
0004239271.tif 000012
【図１２】
0004239271.tif 000013